(57)【要約】【課題】トンネルを分割する床の施工の簡素化を図ることにある。【解決手段】トンネルの両側に取り付けられた受け台１と、両側の受け台１に跨いで設置されたプレキャストコンクリート床版２と、隣接するプレキャストコンクリート床版の端部が相互に重なり合うように該端部に形成してある切込部２１とを備え、受け台１にプレキャストコンクリート床版２を敷き詰めて、トンネルを上下に分割する、トンネルの床構造物、それに使用するプレキャストコンクリート床版、及び、その設置方法。【選択図】        図１
2004285758.tif 000002
【特許請求の範囲】
【請求項１】
トンネルを分割するプレキャストコンクリート床版において、
隣接する端部は相互に重なるように形成された切込部を備えていることを特徴とする、プレキャストコンクリート床版。
【請求項２】
端部に切込部を有するプレキャストコンクリート床版を、トンネルの両側にある受け台に跨いで設置し、
隣接するプレキャストコンクリート床版の切込部を相互に重ね、受け台に敷き詰め、プレキャストコンクリート床版によりトンネルを上下に分割することを特徴とする、プレキャストコンクリート床版の設置方法。
【請求項３】
トンネルの両側に取り付けられた受け台と、
両側の受け台に跨いで設置されたプレキャストコンクリート床版と、
隣接するプレキャストコンクリート床版の端部が相互に重なり合うように該端部に形成してある切込部とを備え、
受け台にプレキャストコンクリート床版を敷き詰めて、トンネルを上下に分割することを特徴とする、トンネルの床構造物。
【発明の詳細な説明】
【０００１】
【発明の属する技術分野】
本発明は、地中に埋設される通信線、有線放送線などのケーブル、水道管、下水道管、ガス管、地域冷暖房用温水管を収容する共同管路などのトンネルにおいて、トンネル内部を上下に分割し、仕切るための床に関するものである。
【０００２】
【従来の技術】
従来、トンネルを分割する床は、シールドトンネルで管路を構築後、管路内部を場所打ちコンクリートで構築する方法がある。しかし、トンネル内への材料の投入口が限られているため、トンネルの延長が長い場合、コンクリートの打設に長時間を要し、コンクリートの品質が低下する恐れがある。また、トンネルの延長が長い場合、温度変化などによりクラックが発生する恐れがある。また、型枠設置、鉄筋組立、コンクリート打設、脱型などの工程が多く、１サイクルに長時間を要している。また、コンクリート工場の稼働時間が決まっているため、夜間のコンクリート打設ができない問題がある。
【０００３】
本出願人は、長方形の水平床版の下面の中央に、鉛直の支持壁を有するＴ字型のプレキャストコンクリート床版を狭いトンネル内で迅速に運搬し、設置する方法を出願している（特許文献１参照）。
【０００４】
【特許文献１】
特開２００２−９７８９７
【０００５】
【解決しようとする課題】
＜イ＞本発明は、トンネルを分割する床の施工の簡素化を図ることにある。
＜ロ＞また、本発明は、トンネルの曲線部でも直線部と同じ形状の床版を使用できるようにすることにある。
【０００６】
【課題を解決するための手段】
本発明は、トンネルを分割するプレキャストコンクリート床版において、隣接する端部は相互に重なるように形成された切込部を備えていることを特徴とする、プレキャストコンクリート床版にある。
本発明は、また、端部に切込部を有するプレキャストコンクリート床版を、トンネルの両側にある受け台に跨いで設置し、隣接するプレキャストコンクリート床版の切込部を相互に重ね、受け台に敷き詰め、プレキャストコンクリート床版によりトンネルを上下に分割することを特徴とする、プレキャストコンクリート床版の設置方法にある。
本発明は、また、トンネルの両側に取り付けられた受け台と、両側の受け台に跨いで設置されたプレキャストコンクリート床版と、隣接するプレキャストコンクリート床版の端部が相互に重なり合うように該端部に形成してある切込部とを備え、受け台にプレキャストコンクリート床版を敷き詰めて、トンネルを上下に分割することを特徴とする、トンネルの床構造物にある。
【０００７】
【発明の実施の形態】
以下、図面を用いて本発明の実施の形態を説明する。
【０００８】
＜イ＞トンネルの床構造物
トンネルの床構造物は、トンネルに複数の管路を構築する際、トンネルを上下に分割し、仕切るための構造物である。トンネルの床構造物は、例えば図１に示すように、トンネルの左右セグメント３の側部に受け台１を取り付け、受け台１に跨いでプレキャストコンクリート床版２を設置し、トンネルを上下に分割している。
【０００９】
＜ロ＞受け台
受け台１は、プレキャストコンクリート床版２をトンネル内に設置するものであり、トンネルの両側部に設置される。受け台１は、例えば図１〜図２に示すように、プレキャスト化してあり、トンネルのセグメント３に取り付けられる。受け台１は、ボルト１２などの取り付け手段が貫通する貫通孔１３を有し、取り付け手段でセグメント３に取り付けられる。受け台１の貫通孔１３は、４個のように複数個設けるとより安定して固定できる。貫通孔１３には支圧板１１が取り付けられ、支圧板１３によりボルト１２を強固に支持する。セグメント３には受け込みインサート部３１を備え、ボルト１２の先端などの取り付け手段を嵌合し、受け台１をセグメント３に緊結する。このように、受け台１をプレキャスト化しておくと、品質を確保できるとともに、工程管理を容易にすることができる。また、セグメント３には受け込みインサート部３１を設けると、セグメント３がローリングしても、受け台１をセグメント３に設置することができる。
【００１０】
＜ハ＞プレキャストコンクリート床版
プレキャストコンクリート床版２は、受け台１に配置され、トンネルを上下に仕切るものである。プレキャストコンクリート床版２は、例えば図１また図３に示されているように、長方形の形状でプレキャスト化して、トンネルの両側の受け台１に跨るように配置される。プレキャストコンクリート床版１は、受け台１上で相互に接して敷き詰められる。
【００１１】
＜ニ＞プレキャストコンクリート床版の切込部
隣接するプレキャストコンクリート床版２は、相互に重なり合うように、側部には切込部２１を形成する。切込部２１は、相互に重なり合えればよく、例えばＬ字型にする。これにより、側部の突出している個所が隣接する側部の凹部に入り込み、両プレキャストコンクリート床版２、２の端部が重なり合うことになる。このように、プレキャストコンクリート床版２に切込部２１を設けると、プレキャストコンクリート床版２の位置調整時に床版同士が密着しなくても、図３に示すように、上下方向の貫通隙間が生じなくできる。これにより、プレキャストコンクリート床版２を任意の位置から設置でき、工期の短縮及び分割施工が可能となると共に、トンネルの曲線部でも直線部と同じ形状のプレキャストコンクリート床版２を使用できるので、型枠費の低減、製造コストの低減を図ることができる。
【００１２】
以下、トンネルの床構造物の施工方法を説明する。
【００１３】
＜イ＞受け台の取り付け
シールドマシン内でリングを小割りにしたセグメント３を組み立て、トンネルを構築する。所定のセグメント３には、予め受け台１を固定するための受け込みインサート部３１を設けておく。受け台１をセグメント３に取り付ける場合、図４（Ａ）〜（Ｄ）に示すように、受け台１を受台走行台車５に載せてトンネル内を移送し、受け台１を取り付ける位置に運搬する。
【００１４】
取付装置５１は、伸縮アーム５２の先端の取付用治具５３で受台走行台車５から受け台１を引き上げ、取付装置５１でセグメント３の取り付け位置に移動し、伸縮アーム５２を伸縮して受け台１を所定の位置まで運ぶ。受け台１の貫通孔１３とセグメント３の受け込みインサート部３１を一致させ、ボルト１２を貫通孔１３からインサート部３１に差し込んで、受け台１をセグメント３に緊結する。
取付装置５１を左右に配置すれば、トンネルの左右で同時に受け台１を取り付けることができる。このようにして、受け台１をトンネルの両側壁で軸方向に沿って配置できる。
【００１５】
＜ロ＞プレキャストコンクリート床版の設置
プレキャストコンクリート床版２を床版運搬台車４に載置し、トンネル内を移送する。プレキャストコンクリート床版２がトンネル内で回転できない場合、プレキャストコンクリート床版２を受け台１上に浮かせて搬送する。
【００１６】
床版運搬台車４にはガイド部４２を設けて、トンネル内の所定の軌道をガイドしながら移動できるようにする。ガイド部４２は、例えば、ウレタン車輪などの車輪で形成してあり、床版運搬台車４から左右側方に伸びて、車輪が左右の受け台１に接触するように床版運搬台車４に取り付けられる。
【００１７】
プレキャストコンクリート床版２が床版運搬台車４により運搬され、設置位置まできたら、上下用シリンダ４１を駆動して、プレキャストコンクリート床版２を受け台１に載置する。このようにして、プレキャストコンクリート床版２を順次、受け台１上に載置し、隣接するプレキャストコンクリート床版２の切込部２１が相互に重なり合うように、トンネルを上下に仕切っていく。プレキャストコンクリート床版２は、隣接する間隔が、図３に示すようにトンネルの曲線部で開いていても、切込部２１が重なり合っているので、上下方向の貫通隙間を生じないで設置できる。
【００１８】
このように、トンネルの床構造物を施工する際、セグメント３に埋め込んだインサート部３１にボルト１２を緊結することにより、受け台１をトンネルの掘削と並行して取り付けることが可能になる。それにより、トンネルを上下に分割するプレキャストコンクリート床版２の設置を夜間に行うことが可能となり、施工期間を大幅に短縮できる。また、受け台１とプレキャストコンクリート床版２を二次製品として使用できるので、一定の品質を確保することができる。
【００１９】
【本発明の効果】
本発明は、以下の効果を有する。
＜イ＞本発明は、トンネルを分割する床の施工の簡素化を図ることができる。
＜ロ＞また、本発明は、トンネルの曲線部でも直線部と同じ形状の床版を使用することができる。
【図面の簡単な説明】
【図１】トンネルの床構造物の説明図
【図２】受け台とセグメントの取り付け図
【図３】プレキャストコンクリート床版の配置図
【図４】受け台の取付手順の説明図
【符号の説明】
１・・・受け台
１１・・支圧板
１２・・ボルト
１３・・貫通孔
２・・・プレキャストコンクリート床版
２１・・切込部
３・・・セグメント
３１・・受け込みインサート部
４・・・床版運搬台車
４１・・上下用シリンダ
４２・・ガイド部
５・・・受台走行台車
５１・・取付装置
５２・・伸縮アーム
５３・・取付用治具
【図１】
2004285758.tif 000003
【図２】
2004285758.tif 000004
【図３】
2004285758.tif 000005
【図４】
2004285758.tif 000006